(57)【要約】      （修正有）【課題】幼児の体の移動による落下を防ぐとともに、見栄えが良く、表裏を利用でき、種々の用途に使用できるクッションセットを提供する。【解決手段】クッションセット１は、平板形状の中央クッション部１１と、中央クッション部の外縁部に連続し、かつ中央クッション部の一部を囲繞して、第１端部１５と第２端部１６とを有する中空状の長尺クッション収容部１２と、を備えた本体クッション部材１０と、長尺クッション収容部に収容可能な長尺の長尺クッション部材と、を備え、第１端部及び第２端部には、夫々、互いを締結する結び紐２１，２２が取り付けられている。結び紐を締結して中央クッション部の全周が長尺クッション収容部で囲繞された囲繞状態と、結び紐を解いて中央クッション部の一部が長尺クッション収容部で囲繞されていない非囲繞状態と、に状態変化可能である。【選択図】図１
0003218515.tif 000002
【実用新案登録請求の範囲】
【請求項１】
使用者が置かれる中央クッション部と、
前記中央クッション部の外縁部に連続し、かつ前記中央クッション部の一部を囲繞しており、一端部と他端部とを有する中空状の長尺クッション収容部と、
を備えた本体クッション部材と、
前記本体クッション部材の前記長尺クッション収容部に収容可能な長尺の長尺クッション部材と、
を有し、
前記長尺クッション収容部の前記一端部及び前記他端部には、夫々、互いを締結するための締結体が取り付けられており、
前記締結体を締結して前記中央クッション部の全周が前記長尺クッション収容部で囲繞された囲繞状態と、
前記締結体を解いて前記中央クッション部の一部が前記長尺クッション収容部で囲繞されていない非囲繞状態と、
に選択的に状態変化可能とされてなる
ことを特徴とするクッションセット。
【請求項２】
前記長尺クッション収容部の一端部及び他端部のうち少なくとも一方が、前記中央クッション部から離れる方向に突出してなる
請求項１に記載のクッションセット。
【請求項３】
前記囲繞状態の前記長尺クッション収容部が、前記非囲繞状態の前記長尺クッション収容部に比して前記中央クッション部に対して起立してなる
請求項１又は請求項２に記載のクッションセット。
【考案の詳細な説明】
【技術分野】
【０００１】
本考案は、主に幼児を横たえる際に下に敷いて用いられるクッションセットに関する。
【背景技術】
【０００２】
従来、特許文献１のように、周囲を高くすることで幼児の体の移動による落下を防ぐことのできる敷マットが知られている。
【先行技術文献】
【特許文献】
【０００３】
【特許文献１】実用新案登録第３２０８４０２号公報
【考案の概要】
【考案が解決しようとする課題】
【０００４】
ところが、このような従来のクッションにあっては、予め形状が固定されており、幼児が横たわる面が一面側（表側）に固定されるため、当該クッションに横たわった幼児の姿を写真等で記録する際に毎回同じ背景となってしまい面白みに欠けるという問題があった。特に近年、個人が撮影した画像データを情報ネットワーク上で他者が自由に閲覧できる環境にあっては、個性的な画像データを得るために様々な工夫がなされており、より画像栄えするアイテムが要求されてきており、特に幼児が横たわる際に背景として映ることとなるクッションにも個性的なものが要求されている。
【０００５】
本考案は、上記問題を解決すると共に、別の用途にも幅広く用いることのできるクッションセットを提供することを目的とする。
【課題を解決するための手段】
【０００６】
本考案は、使用者が置かれる中央クッション部と、前記中央クッション部の外縁部に連続し、かつ前記中央クッション部の一部を囲繞しており、一端部と他端部とを有する中空状の長尺クッション収容部と、を備えた本体クッション部材と、前記本体クッション部材の前記長尺クッション収容部に収容可能な長尺の長尺クッション部材と、を有し、前記長尺クッション収容部の前記一端部及び前記他端部には、夫々、互いを締結するための締結体が取り付けられており、前記締結体を締結して前記中央クッション部の全周が前記長尺クッション収容部で囲繞された囲繞状態と、前記締結体を解いて前記中央クッション部の一部が前記長尺クッション収容部で囲繞されていない非囲繞状態と、に選択的に状態変化可能とされてなることを特徴とするクッションセットである。
【０００７】
かかる構成にあって、前記囲繞状態では、前記中央クッション部に横たわった使用者（例えば幼児）が当該中央クッション部から転げ落ちてしまうことを好適に防止することができる。また、大人が当該クッションセットのすぐ横で添い寝をした場合にも、大人が寝返りをして使用者を押しつぶしてしまうことがないため、安全である。また、前記囲繞状態では、前記長尺クッション収容部が使用者の周りを囲繞することになるため、長尺クッション収容部に種々の装飾が付されることで写真映えする利点もある。なお、前記囲繞状態と前記非囲繞状態は、前記締結体を用いて容易に状態変化させることができるため、手間がかからない。さらに、前記本体クッション部材は、前記中央クッション部の一面側を表面側としたり、裏面側としたりして使用することができるため、表裏で表面の意匠を異ならせた場合には、表裏で異なる雰囲気や印象で使用することができる。加えて、前記長尺クッション部材は、前記本体クッション部材とは別体であるため、当該長尺クッション部材だけで使用することができる。
【０００８】
また、前記長尺クッション収容部の一端部及び他端部のうち少なくとも一方が、前記中央クッション部から離れる方向に突出してなる構成が提案される。
【０００９】
かかる構成にあっては、前記中央クッション部を歪ませることなく、締結体を締結させることができる。
【００１０】
さらに、前記囲繞状態の前記長尺クッション収容部が、前記非囲繞状態の前記長尺クッション収容部に比して前記中央クッション部に対して起立してなる構成が提案される。
【００１１】
かかる構成とすることにより、使用者が意図せず前記中央クッション部から転げ落ちてしまうことを効果的に防止することができる。
【考案の効果】
【００１２】
本考案にかかるクッションセットは、複数の形状をとることができるため見栄えが向上すると共に、他の用途にも使用することができる効果がある。
【図面の簡単な説明】
【００１３】
【図１】非囲繞状態にあるクッションセットであって、（ａ）は平面図であり、（ｂ）は（ａ）のＡ−Ａ線断面図である。
【図２】囲繞状態にあるクッションセットであって、（ａ）は平面図であり、（ｂ）は（ａ）のＢ−Ｂ線断面図である。
【図３】長尺クッション部材の説明図である。
【考案を実施するための形態】
【００１４】
以下に本考案を具体化した実施例を詳細に説明する。なお、本考案は、下記に示す実施例に限定されることはなく、適宜設計変更が可能である。
【００１５】
〔実施例〕
本実施例のクッションセット１を図１等に従って説明する。
図１等に示したようにクッションセット１は、本体クッション部材１０を備えている。本体クッション部材１０は、平板形状の中央クッション部１１と、主に中央クッション部１１の半円部分の外縁部に連続して部分的に囲繞する中空状の長尺クッション収容部１２と、を備えている。長尺クッション収容部１２は、一端側の第１端部１５と他端側の第２端部１６とが本体中央クッション部１１から離れる方向に突出している。また、第１端部１５及び第２端部１６の先端部において、後述する非囲繞状態αで外側にあたる部位からは、夫々締結体である帯状の結び紐２１，２２が取り付けられている。
【００１６】
また、長尺クッション収容部１２には、長尺クッション収容部１２に収容可能な長尺の長尺クッション部材３０（図３参照）が本体クッション部材１０から脱着自在に収容されている。なお、長尺クッション収容部１２の第1端部１５には開口部（図示省略）が形成されており、当該開口部から長尺クッション部材３０を挿脱することができる。
【００１７】
上述のクッションセット１は、初期の状態にあっては図１（ａ），（ｂ）に示したように、中央クッション部１１の一部が長尺クッション収容部１２に囲繞されていない非囲繞状態αとされている。非囲繞状態αにあっては、クッションセット１に横たわった幼児のおむつを替える際等に長尺クッション収容部１２が邪魔にならないため、作業効率が向上する。また、非囲繞状態αで幼児を横たえ、クッションセット１の横に親が横たわって添い寝をする際にも長尺クッション収容部１２が程よい高さとなって幼児の就寝の邪魔にならない。
【００１８】
また、クッションセット１は、図２に示したように、結び紐２１，２２を例えば蝶々結び等で締結することで長尺クッション収容部１２の第１端部１５と第２端部１６とを隣接させて囲繞状態βとすることができる。囲繞状態βにあっては、長尺クッション部材３０が収容された長尺クッション収容部１２が中央クッション部１１の全周を囲繞するため、横たわった幼児の落下を防止することができる。さらに、結び紐２１，２２の位置が第１端部１５及び第２端部１６の外側に設けられているため、結び紐２１，２２を締結した際に、図２（ｂ）に示したように長尺クッション収容部１２が起立して高さを増し、幼児の落下をより好適に防止することができる。
【００１９】
本考案のクッションセット１は、非囲繞状態α及び囲繞状態βのいずれにおいても、表裏の両方を幼児の横たわる側とすることができるいわゆるリバーシブルなものであり、例えば一面側をカラフルな意匠とし、他面側を単色とする、といったように表裏で表面の意匠を異ならせることができる。これにより、あたかも２種類のクッションセット１を用いているかのように見せることができる。
【００２０】
さらに、長尺クッション部材３０は、本体クッション部材１０から脱着自在であり、長尺クッション部材３０単独でクッションとして使用することができる。
【００２１】
上記実施例において各部の寸法形状は適宜自由に選択可能である。また、中央クッション部１１は平面視略半円形である必要はなく、角のある方形であっても構わない。また、結び紐２１，２２は紐状のものや帯状のもので構成することができる。また、長尺クッション部材３０を長尺クッション収容部１２に収容可能とする構造は特に限定されず、例えばファスナーが取り付けられた構成が好適である。また、中央クッション部材１０は、中空の袋状とし、内部にクッション材を脱着自在に装填してクッション材の交換等を行える構成であっても構わない。
【符号の説明】
【００２２】
１          クッションセット
１０        本体クッション部材
１１        中央クッション部
１２        長尺クッション収容部
１５        第１端部
１６        第２端部
２１，２２  結び紐（締結手段）
３０        長尺クッション部材
α          非囲繞状態
β          囲繞状態
【図１】
0003218515.tif 000003
【図２】
0003218515.tif 000004
【図３】
0003218515.tif 000005